(57)【要約】【課題】補完データ要求がバースト的に発生するのを防止することにより、補完サーバ２１の負荷が増大を防ぐとともに、通信網２０において他の通信を逼迫させてしまうのを防ぐことが可能な通信放送連携システムを提供すること。【解決手段】本発明の通信放送連携システムは、放送波を用いてコンテンツデータを放送する放送局１２と、放送波を介して受信したコンテンツデータに基づいてコンテンツを再生する端末装置３０と、端末装置３０が前記放送波から正しく受信できなかったコンテンツデータを、通信網２０を介して補完する補完サーバ２１と、を具備する。補完サーバ２１は、通信網２０又は補完サーバ２１の負荷を示す負荷情報、コンテンツの関連情報であるコンテンツ情報、端末装置３０のユーザ属性情報、端末装置３０の位置情報の少なくとも一つに基づいて、補完を行う補完タイミングを決定する補完タイミング決定部２１４を具備する。【選択図】図１
2011109456.tif 000002
【特許請求の範囲】
【請求項１】
放送波を用いてコンテンツデータを放送する放送局と、前記放送波を介して受信したコンテンツデータに基づいてコンテンツを再生する端末装置と、前記端末装置が前記放送波から正しく受信できなかったコンテンツデータを、通信網を介して補完する補完サーバと、を具備する通信放送連携システムであって、
前記補完サーバは、
前記通信網又は前記補完サーバの負荷を示す負荷情報、前記コンテンツの関連情報であるコンテンツ情報、前記端末装置のユーザ属性を示すユーザ属性情報、前記端末装置の在圏する通信エリアを示す位置情報の少なくとも一つに基づいて、前記補完を行う補完タイミングを決定する補完タイミング決定部を具備することを特徴とする通信放送連携システム。
【請求項２】
前記補完タイミング決定部は、前記補完タイミングとして、前記端末装置が前記補完サーバに対して前記補完を要求する日時、又は、前記放送波を用いたコンテンツデータの配信終了時刻から前記端末装置が前記補完サーバに対して前記補完を要求可能となる補完可能時間の開始時刻までのオフセット時間及び前記補完可能時間の開始時刻からランダムなタイミングで前記補完を要求可能な時間幅であるランダム時間幅を決定することを特徴とする請求項１に記載の通信放送連携システム。
【請求項３】
前記補完タイミング決定部は、前記補完タイミングが現在設定されている補完タイミングより所定時間遅く又は早くなるように、前記日時、又は、前記オフセット時間及び前記ランダム時間幅を決定することを特徴とする請求項２に記載の通信放送連携システム。
【請求項４】
前記日時、又は、前記オフセット時間又は前記ランダム時間幅は、前記コンテンツのメタデータに含めて前記放送波を用いて前記放送局から放送されることを特徴とする請求項２又は３に記載の通信放送連携システム。
【請求項５】
前記日時、又は、前記オフセット時間又は前記ランダム時間幅の更新を通知する更新通知は、前記放送波を用いて前記放送局から放送され、
更新された日時、又は、更新されたオフセット時間又はランダム時間幅は、前記放送波を用いて前記更新通知を受信した前記端末装置からの要求に応じて、前記通信網を介して前記端末装置に通知されることを特徴とする請求項２又は３に記載の通信放送連携システム。
【請求項６】
前記補完タイミング決定部は、前記補完タイミングとして、前記端末装置からの前記補完の要求の受付を拒否する受付拒否時間を決定し、
前記受付拒否時間は、前記端末装置からの前記補完の要求に応じて、前記補完サーバから前記端末装置に前記通信網を介して通知されることを特徴とする請求項２に記載の通信放送連携システム。
【請求項７】
前記補完サーバは、前記通信網又は前記補完サーバの負荷を示す負荷情報、前記コンテンツの関連情報であるコンテンツ情報、前記端末装置のユーザ属性を示すユーザ属性情報、前記端末装置の在圏する通信エリアを示す位置情報の少なくとも一つに基づいて、前記端末装置が前記補完タイミングに自動的に前記補完を要求する自動補完から、前記端末装置がユーザからの指示の受付により前記補完を要求する手動補完への切替を決定する切替決定部を更に具備することを特徴とする請求項１に記載の通信放送連携システム。
【請求項８】
前記切替の指示は、前記コンテンツのメタデータに含めて前記放送波を用いて前記放送局から放送されることを特徴とする請求項７に記載の通信放送連携システム。
【請求項９】
前記切替の指示は、前記端末装置からの前記補完の要求に応じて、前記補完サーバから前記端末装置に前記通信網を介して通知されることを特徴とする請求項７に記載の通信放送連携システム。
【請求項１０】
放送波を用いてコンテンツデータを放送する放送局と、前記放送波を用いて受信したコンテンツデータに基づいてコンテンツを再生する端末装置と、前記端末装置が前記放送波を用いて正しく受信できなかったコンテンツデータを、通信網を介して補完する補完サーバと、を具備する通信放送連携システムであって、
前記端末装置は、
前記通信網又は前記補完サーバの負荷を示す負荷情報、前記コンテンツの関連情報であるコンテンツ情報、前記端末装置のユーザ属性を示すユーザ属性情報、前記端末装置の在圏する通信エリアを示す位置情報の少なくとも一つに基づいて、前記補完を行うタイミングである補完タイミングを決定する補完タイミング決定部を具備することを特徴とする通信放送連携システム。
【請求項１１】
前記補完タイミング決定部は、前記補完タイミングとして、前記端末装置が前記補完サーバに対して前記補完を要求する日時、又は、前記放送波を用いたコンテンツデータの配信終了時刻から前記端末装置が前記補完サーバに対して前記補完を要求可能となる補完可能時間の開始時刻までのオフセット時間及び前記補完可能時間の開始時刻からランダムなタイミングで前記補完を要求可能な時間幅であるランダム時間幅を決定することを特徴とする請求項１０に記載の通信放送連携システム。
【請求項１２】
前記補完タイミング決定部は、前記補完タイミングが現在設定されている補完タイミングより所定時間遅く又は早くなるように、前記日時、又は、前記オフセット時間及び前記ランダム時間幅を決定することを特徴とする請求項１１に記載の通信放送連携システム。
【請求項１３】
前記端末装置は、前記通信網又は前記補完サーバの負荷を示す負荷情報、前記コンテンツの関連情報であるコンテンツ情報、前記端末装置のユーザ属性を示すユーザ属性情報、前記端末装置の在圏する通信エリアを示す位置情報の少なくとも一つに基づいて、前記補完タイミングに自動的に前記補完を要求する自動補完から、前記端末装置がユーザからの指示の受付により前記補完を要求する手動補完に切り替える切替部を更に具備することを特徴とする請求項１０に記載の通信放送連携システム。
【発明の詳細な説明】
【技術分野】
【０００１】
本発明は、端末装置が放送網を介して受信できなかったコンテンツデータを、補完サーバが通信網を介して補完する通信放送連携システムに関する。
【背景技術】
【０００２】
近年、放送波を用いてデジタル放送サービスを提供する放送網と、通信波を用いて携帯電話サービスやデータ通信サービスを提供する通信網との融合が求められている。例えば、携帯電話端末向けのデジタル放送サービス（ワンセグ放送サービス）の受信機能を携帯電話端末に搭載することにより、放送網から携帯電話端末へのコンテンツ配信が行われている。放送網を用いたコンテンツ配信では、放送システムから携帯電話端末への片方向のみで通信が行われる。このため、携帯電話端末が、放送網から受信できなかったコンテンツデータを、通信網からから受信可能とする「補完」機能を備えた通信放送連携システムも検討されている（例えば、特許文献１〜３）。
【０００３】
ところで、コンテンツの配信方式としては、コンテンツの再生時に逐次配信されるコンテンツを再生するストリーム型と、コンテンツの再生時に関係なくコンテンツが配信され、コンテンツ再生時に端末内に蓄積されたコンテンツを再生する蓄積型とがある。
【０００４】
通信網を用いたコンテンツ配信では、蓄積型のコンテンツ配信方式が用いられており、例えば、Ｖｉｄｅｏ  ＣｈａｎｎｅｌやＭｕｓｉｃ  Ｃｈａｎｎｅｌサービスなどでは、ユーザが選択したコンテンツが夜中などに自動的に携帯電話端末に配信される。一方、放送網を用いたコンテンツサービスでは、ワンセグ放送サービスに代表されるように、ストリーム型の配信方式が用いられているが、近年では、蓄積型の配信方式を用いることも検討されている（例えば、非特許文献１及び２）。また、放送網を用いた蓄積型のコンテンツ配信においても、ＤＶＢ−Ｈ（Ｄｉｇｉｔａｌ  Ｖｉｄｅｏ  Ｂｒｏａｄｃａｓｔｉｎｇ  ｆｏｒ  Ｈａｎｄｈｅｌｄ）に規定されるように、上述の補完機能を備えた通信放送連携システムが検討されている（例えば、非特許文献３）。
【０００５】
図１３は、ＤＶＢ−Ｈに規定された通信放送連携システムの補完機能を示す図である。図１３に示すように、例えば、コンテンツ配信時間Ｔ０では、放送網からの放送波を用いて携帯電話端末にコンテンツが自動的に配信される。コンテンツ配信時間Ｔ０から一定時間後の補完可能時間Ｔ３において、携帯電話端末は、コンテンツ配信時間Ｔ０において放送網を用いて受信できなかったコンテンツデータの送信要求（以下、補完データ要求という）を、通信網に接続された補完サーバに送信する。補完サーバは、補完データ要求により要求されたコンテンツデータ（以下、補完データという）を、通信網からの通信波を用いて携帯電話端末に送信する。
【０００６】
この通信放送連携システムにおいて、図１３の補完可能時間Ｔ３は、コンテンツ配信時間Ｔ０においてコンテンツデータとともに送信される制御データ（メタデータ）により携帯電話端末に通知される。
【先行技術文献】
【特許文献】
【０００７】
【特許文献１】特開平１１−３１３０６１号公報
【特許文献２】特開２００４−２００８６３号公報
【特許文献３】特開２００７−１６６６７４号公報
【非特許文献】
【０００８】
【非特許文献１】ＩＳＯ／ＩＥＣ  １３８１８‐１２：２００７（Ｅ）
【非特許文献２】ＲＦＣ３９２６‐ＦＬＵＴＥ‐Ｆｉｌｅ  Ｄｅｌｉｖｅｒｙ  ｏｖｅｒ  Ｕｎｉｄｉｒｅｃｔｉｏｎａｌ  Ｔｒａｎｓｐｒｔ
【非特許文献３】ＥＴＳＩ  ＴＳ  １０２  ５９１
【発明の概要】
【発明が解決しようとする課題】
【０００９】
しかしながら、上述の通信放送連携システムでは、図１３に示す補完可能時間Ｔ３において、多数の携帯電話端末から補完サーバへの補完データ要求がバースト的に発生する場合がある。かかる場合、補完可能時間Ｔ３でバースト的に発生する補完データ要求により、補完サーバの負荷が増大するとともに、当該補完データ要求や当該補完データ要求に応じた補完データが送信される通信網において他の通信を逼迫させてしまうという問題点があった。
【００１０】
本発明は、かかる点に鑑みてなされたものであり、補完データ要求のバースト的な発生を防止することにより、補完サーバの負荷が増大するのを防ぐとともに、通信網において他の通信を逼迫させてしまうのを防ぐことが可能な通信放送連携システムを提供することを目的とする。
【課題を解決するための手段】
【００１１】
本発明の通信放送連携システムは、放送波を用いてコンテンツデータを放送する放送局と、前記放送波を介して受信したコンテンツデータに基づいてコンテンツを再生する端末装置と、前記端末装置が前記放送波から正しく受信できなかったコンテンツデータを、通信網を介して補完する補完サーバと、を具備する通信放送連携システムであって、前記補完サーバは、前記通信網又は前記補完サーバの負荷を示す負荷情報、前記コンテンツの関連情報であるコンテンツ情報、前記端末装置のユーザ属性を示すユーザ属性情報、前記端末装置の在圏する通信エリアを示す位置情報の少なくとも一つに基づいて、前記補完を行う補完タイミングを決定する補完タイミング決定部を具備する。
【００１２】
この構成によれば、補完サーバが、負荷情報、コンテンツ情報、ユーザ属性情報、位置情報の少なくとも一つに基づいて、補完タイミングを決定するので、多数の端末装置からの補完データ要求がバースト的に発生するのを防止でき、この結果、補完サーバの負荷が増大するのを防ぐとともに、通信網において他の通信を逼迫させてしまうのを防ぐことができる。
【００１３】
また、本発明は、上記通信放送連携システムにおいて、前記補完タイミング決定部は、前記補完タイミングとして、前記端末装置が前記補完サーバに対して前記補完を要求する日時、又は、前記放送波を用いたコンテンツデータの配信終了時刻から前記端末装置が前記補完サーバに対して前記補完を要求可能となる補完可能時間の開始時刻までのオフセット時間及び前記補完可能時間の開始時刻からランダムなタイミングで前記補完を要求可能な時間幅であるランダム時間幅を決定してもよい。
【００１４】
また、本発明は、上記通信放送連携システムにおいて、前記補完タイミング決定部は、前記補完タイミングが現在設定されている補完タイミングより所定時間遅く又は早くなるように、前記日時、又は、前記オフセット時間及び前記ランダム時間幅を決定してもよい。
【００１５】
また、本発明は、上記通信放送連携システムにおいて、前記日時、又は、前記オフセット時間又は前記ランダム時間幅は、前記コンテンツのメタデータに含めて前記放送波を用いて前記放送局から放送されてもよい。
【００１６】
また、本発明は、上記通信放送連携システムにおいて、前記日時、又は、前記オフセット時間又は前記ランダム時間幅の更新を通知する更新通知は、前記放送波を用いて前記放送局から放送され、更新された日時、又は、更新されたオフセット時間又はランダム時間幅は、前記放送波を用いて前記更新通知を受信した前記端末装置からの要求に応じて、前記通信網を介して前記端末装置に通知されてもよい。
【００１７】
また、本発明は、上記通信放送連携システムにおいて、前記補完タイミング決定部は、前記補完タイミングとして、前記端末装置からの前記補完の要求の受付を拒否する受付拒否時間を決定し、前記受付拒否時間は、前記端末装置からの前記補完の要求に応じて、前記補完サーバから前記端末装置に前記通信網を介して通知されてもよい。
【００１８】
また、本発明は、上記通信放送連携システムにおいて、前記補完サーバは、前記通信網又は前記補完サーバの負荷を示す負荷情報、前記コンテンツの関連情報であるコンテンツ情報、前記端末装置のユーザ属性を示すユーザ属性情報、前記端末装置の在圏する通信エリアを示す位置情報の少なくとも一つに基づいて、前記端末装置が前記補完タイミングに自動的に前記補完を要求する自動補完から、前記端末装置がユーザからの指示の受付により前記補完を要求する手動補完への切替を決定する切替決定部を更に具備してもよい。
【００１９】
また、本発明は、上記通信放送連携システムにおいて、前記切替の指示は、前記コンテンツのメタデータに含めて前記放送波を用いて前記放送局から放送されてもよい。
【００２０】
また、本発明は、上記通信放送連携システムにおいて、前記切替の指示は、前記端末装置からの前記補完の要求に応じて、前記補完サーバから前記端末装置に前記通信網を介して通知されてもよい。
【００２１】
また、本発明の上記通信放送連携システムは、放送波を用いてコンテンツデータを放送する放送局と、前記放送波を用いて受信したコンテンツデータに基づいてコンテンツを再生する端末装置と、前記端末装置が前記放送波を用いて正しく受信できなかったコンテンツデータを、通信網を介して補完する補完サーバと、を具備する通信放送連携システムであって、前記端末装置は、前記通信網又は前記補完サーバの負荷を示す負荷情報、前記コンテンツの関連情報であるコンテンツ情報、前記端末装置のユーザ属性を示すユーザ属性情報、前記端末装置の在圏する通信エリアを示す位置情報の少なくとも一つに基づいて、前記補完を行うタイミングである補完タイミングを決定する補完タイミング決定部を具備する。
【００２２】
この構成によれば、端末装置が、負荷情報、コンテンツ情報、ユーザ属性情報、位置情報の少なくとも一つに基づいて、補完タイミングを決定するので、多数の端末装置からの補完データ要求がバースト的に発生するのを防止でき、この結果、補完サーバの負荷が増大するのを防ぐとともに、通信網において他の通信を逼迫させてしまうのを防ぐことができる。
【００２３】
また、本発明は、上記通信放送連携システムにおいて、前記補完タイミング決定部は、前記補完タイミングとして、前記端末装置が前記補完サーバに対して前記補完を要求する日時、又は、前記放送波を用いたコンテンツデータの配信終了時刻から前記端末装置が前記補完サーバに対して前記補完を要求可能となる補完可能時間の開始時刻までのオフセット時間及び前記補完可能時間の開始時刻からランダムなタイミングで前記補完を要求可能な時間幅であるランダム時間幅を決定してもよい。
【００２４】
また、本発明は、上記通信放送連携システムにおいて、前記補完タイミング決定部は、前記補完タイミングが現在設定されている補完タイミングより所定時間遅く又は早くなるように、前記日時、又は、前記オフセット時間及び前記ランダム時間幅を決定してもよい
【００２５】
また、本発明は、上記通信放送連携システムにおいて、前記端末装置は、前記通信網又は前記補完サーバの負荷を示す負荷情報、前記コンテンツの関連情報であるコンテンツ情報、前記端末装置のユーザ属性を示すユーザ属性情報、前記端末装置の在圏する通信エリアを示す位置情報の少なくとも一つに基づいて、前記補完タイミングに自動的に前記補完を要求する自動補完から、前記端末装置がユーザからの指示の受付により前記補完を要求する手動補完に切り替える切替部を更に具備してもよい。
【発明の効果】
【００２６】
本発明によれば、補完データ要求のバースト的な発生を防止することにより、補完サーバの負荷が増大するのを防ぐとともに、通信網において他の通信を逼迫させてしまうのを防ぐことが可能な通信放送連携システムを提供することができる。
【図面の簡単な説明】
【００２７】
【図１】本発明の第１の実施形態に係る通信放送連携システムの概略構成図である。
【図２】本発明の第１の実施形態に係る補完サーバの構成図である。
【図３】本発明の第１の実施形態に係る通信放送連携方法を示すシーケンス図である。
【図４】本発明の第１の実施形態に係る補完タイミング決定方法を示すフローチャートである。
【図５】本発明の変形例１−１に係る通信放送連携方法を示すシーケンス図である。
【図６】本発明の変形例１−２に係る通信放送連携方法を示すシーケンス図である。
【図７】本発明の第２の実施形態に係る端末装置の構成図である。
【図８】本発明の第２の実施形態に係る通信放送連携方法を示すシーケンス図である。
【図９】本発明の第３の実施形態に係る補完サーバの構成図である。
【図１０】本発明の第３の実施形態に係る通信放送連携方法を示すシーケンス図である。
【図１１】本発明の変形例３−１に係る通信放送連携方法を示すシーケンス図である。
【図１２】本発明の変形例３−２に係る端末装置の構成図である。
【図１３】従来の通信放送連携システムを説明するための図である。
【発明を実施するための形態】
【００２８】
以下、本発明の実施の形態について説明する。なお、以下の図面の記載において、同一または類似の部分には、同一または類似の符号を付している。
【００２９】
［第１の実施形態］
＜通信放送連携システムの概略構成＞
図１は、第１の実施形態に係る通信放送連携システムの構成図である。図１に示すように、通信放送連携システムは、放送網１０に接続されたコンテンツサーバ１１及び放送局１２と、通信網２０に接続された補完サーバ２１、基地局２２及び顧客情報管理サーバ２３と、放送網１０及び通信網２０の双方に接続可能な端末装置３０とから構成されている。
【００３０】
放送網１０に接続されたコンテンツサーバ１１は、放送網１０を介して端末装置３０に対して、蓄積型のコンテンツを配信する。放送局１２は、自局からの放送波を受信可能なエリアである放送エリア１３を形成し、放送エリア１３内の端末装置３０と片方向通信（放送局１２から端末装置３０へ）を行う。放送局１２は、コンテンツサーバ１１から配信されたコンテンツデータを、放送波を用いて端末装置３０に送信する。
【００３１】
通信網２０に接続された補完サーバ２１は、コンテンツサーバ１１に接続されており、コンテンツサーバ１１からコンテンツデータを取得し、端末装置３０からの補完データ要求（後述）に応じて補完データ（後述）を送信する。基地局２２は、自局からの通信波を受信可能なエリアである通信エリア２４を形成し、通信エリア２４内の端末装置３０と双方向通信を行う。基地局２２は、補完サーバ２１から送信された補完データ（後述）を、通信波を用いて端末装置３０に送信する。顧客情報管理サーバ２３は、端末装置３０のユーザに関するユーザ属性情報を管理する。
【００３２】
端末装置３０は、放送網１０及び通信網２０の双方に接続可能な機能を備えた携帯電話端末、ノートパソコン等である。端末装置３０は、例えば、図１に示すように、放送エリア１３外に移動した場合や、放送エリア１３内の伝搬状況が悪化した場合、放送網１０を介して配信中のコンテンツについて全てのコンテンツデータを受信できない。そこで、端末装置３０は、補完タイミング（後述）において、通信網２０を介して補完サーバ２１に対する補完データ要求（後述）を送信し、通信網２０を介して補完データ（後述）を受信する。端末装置３０は、放送網１０を介して受信したコンテンツデータと通信網２０を介して受信した補完データとを合成してコンテンツを復元し、復元したコンテンツをディスプレイやスピーカを用いて再生する。
【００３３】
ここで、補完データ要求とは、端末装置３０が放送局１２からの放送波を用いて正しく受信できなかったコンテンツデータの補完を補完サーバ２１に対して要求するものである。補完データ要求は、要求するコンテンツデータの識別子やデータ量を含む。また、補完データとは、補完データ要求に応じて補完サーバ２１から送信されるコンテンツデータである。
【００３４】
また、補完タイミングとは、端末装置３０が放送局１２からの放送波を用いて正しく受信できなかったコンテンツデータの補完を行うタイミングである。補完タイミングは、後述するように、通信網２０の負荷情報や、コンテンツ情報、ユーザ属性情報など種々の条件に応じて設定・変更可能である。補完タイミングは、補完サーバ２１において決定されてから端末装置３０に通知されるか、或いは、端末装置３０で決定される。
【００３５】
以下、第１の実施形態に係る通信放送連携システムでは、補完サーバ２１が、補完タイミングの決定主体となる例を説明する。
【００３６】
＜補完サーバ２１の構成＞
第１の実施形態に係る通信放送連携システムにおいて、補完タイミングの決定主体となる補完サーバ２１の構成について説明する。補完サーバ２１は、物理的には、ＣＰＵ、メモリ、通信インタフェイス、ハードディスク、ディスプレイ等を備えたコンピュータシステムである。図２は、第１の実施形態に係る補完サーバ２１の機能構成図である。
【００３７】
図２に示すように、補完サーバ２１は、負荷情報取得部２１１、コンテンツ情報取得部２１２、ユーザ属性・位置情報取得部２１３、補完タイミング決定部２１４、補完データ要求受信部２１５、補完データ生成部２１６、補完データ送信部２１７を有する。
【００３８】
負荷情報取得部２１１は、負荷情報を取得する。ここで、負荷情報とは、通信網２０又は補完サーバ２１の負荷を示す情報であり、例えば、通信網２０のトラフィック量、補完サーバ２１の処理量、通信エリア２４における余剰帯域量などである。なお、通信網２０のトラフィック量は、通信網２０における補完データ以外のデータを含むトラフィック量であってもよいし、補完データのみのトラフィック量であってもよい。また、通信網２０のトラフィック量は、現在のトラフィック量と新規に発生すると予測されるトラフィック量との合計量であってもよい。新規に発生するトラフィック量は、端末装置３０からの補完データ要求で指定された補完データ量（例えば、端末装置３０からのＨＴＴＰ−ＧｅｔメッセージのＢｙｔｅ−Ｒａｎｇｅフィールドに指定されたデータ量）から予測される。
【００３９】
コンテンツ情報取得部２１２は、コンテンツサーバ１１からコンテンツ情報を取得する。ここで、コンテンツ情報とは、コンテンツサーバ１１から配信されるコンテンツの関連情報であり、例えば、コンテンツの公開時刻、コンテンツ種別、電子番組ガイド（ＥＰＧ：Ｅｌｅｃｔｒｏｎｉｃ  Ｐｒｏｇｒａｍ  Ｇｕｉｄｅ）、コンテンツリコメンドのメトリックなどである。ここで、コンテンツリコメンドのメトリックとは、ユーザの視聴履歴に基づいて算出されるユーザのコンテンツの嗜好値であり、例えば、コンテンツサーバ１１から配信されるコンテンツについて、ユーザの嗜好に合致したコンテンツ等を提供するために用いられる。
【００４０】
ユーザ属性・位置情報取得部２１３は、顧客情報管理サーバ２３からユーザ属性情報を取得する。ここで、ユーザ属性情報とは、端末装置３０のユーザ属性を示す情報であり、例えば、「プレミア契約」「無料契約」などの端末装置３０のユーザの契約情報、端末装置３０からの補完データ要求で指定された補完データ量などである。また、ユーザ属性・位置情報取得部２１３は、位置情報管理サーバ（図示なし）から端末装置３０の在圏する通信エリアを示す位置情報を取得する。
【００４１】
補完タイミング決定部２１４は、負荷情報取得部２１１で取得された負荷情報、コンテンツ情報取得部２１２で取得されたコンテンツ情報、ユーザ属性・位置情報取得部２１３で取得されたユーザ属性情報及び位置情報の少なくとも一つに基づいて、補完タイミングを決定する。
【００４２】
ここで、補完タイミング決定部２１４は、補完タイミングとして、ｘｘｘｘ年ｙ月ｚ日１５：００のように、端末装置３０が補完サーバ２１に対して補完データ要求を送信する日時を決定してもよい。或いは、補完タイミング決定部２１４は、補完タイミングとして、図１３に示すオフセット時間Ｔ１及びランダム時間幅Ｔ２を決定してもよい。ここで、オフセット時間Ｔ１とは、図１３に示すように、コンテンツ配信時間Ｔ０の終了時刻から補完可能時間Ｔ３の開始時刻までの時間を示すものである。また、ランダム時間幅Ｔ２とは、端末装置３０が補完可能時間Ｔ３の開始時刻からランダムなタイミングで補完データ要求を送信可能な時間幅を示すものである。
【００４３】
具体的には、補完タイミング決定部２１４は、負荷情報によって示される通信網２０又は補完サーバ２１の負荷が閾値Ｔｈ１を超えた場合、補完タイミングが現在設定されている補完タイミングより所定時間遅くなるように、上述の日時、又はオフセット時間Ｔ１及びランダム時間幅Ｔ２を決定する。また、補完タイミング決定部２１４は、通信網２０又は補完サーバ２１の負荷が所定の閾値Ｔｈ１以下である場合、補完タイミングが現在設定されている補完タイミングより所定時間早くなるように、上述の日時、又はオフセット時間Ｔ１及びランダム時間幅Ｔ２を決定する。
【００４４】
また、補完タイミング決定部２１４は、コンテンツ情報によって示されるコンテンツの公開時刻と現在時刻との差が閾値Ｔｈ２以下である場合、補完タイミングが現在設定されている補完タイミングより所定時間早くなるように、上述の日時、又はオフセット時間Ｔ１及びランダム時間幅Ｔ２を決定してもよい。
【００４５】
また、補完タイミング決定部２１４は、コンテンツ情報によって示されるコンテンツ種別に応じて、補完タイミングが現在設定されている補完タイミングより所定時間遅く又は早くなるように、上述の日時、又はオフセット時間Ｔ１及びランダム時間幅Ｔ２を決定してもよい。
【００４６】
また、補完タイミング決定部２１４は、ユーザ属性情報によって示されるユーザ属性毎に、補完タイミングを決定してもよい。例えば、補完タイミング決定部２１４は、優先度の高いユーザ属性の補完タイミングと優先度の低いユーザ属性の補完タイミングとを別々に決定してもよい。ここで、優先度の高いユーザ属性とは、ユーザの契約情報が「プレミア契約」、補完データ要求によって指定された補完データ量が所定値以下である。また、優先度の低いユーザ属性とは、例えば、ユーザの契約情報が「無料契約」、補完データ量が所定値より大きいなどである。
【００４７】
また、補完タイミング決定部２１４は、位置情報によって示される通信エリア毎に、補完タイミングを決定してもよい。例えば、補完タイミング決定部２１４は、トラフィック量の多い通信エリアの補完タイミングとトラフィック量の少ない通信エリアの補完タイミングとを別々に決定してもよい。
【００４８】
また、補完タイミング決定部２１４は、決定された補完タイミングを示す補完タイミング情報をコンテンツサーバ１１に通知する。コンテンツサーバ１１に通知された補完タイミング情報は、コンテンツサーバ１１から配信されるコンテンツのメタデータに含めて、放送網１０経由で端末装置３０に通知される。
【００４９】
補完データ要求受信部２１５は、上記補完タイミングで端末装置３０から送信された補完データ要求を基地局２２から受信する。
【００５０】
補完データ生成部２１６は、補完データ要求受信部２１５によって受信された補完データ要求に応じて、補完データを生成する。具体的には、補完データ生成部２１６は、補完データ要求に含まれるコンテンツデータの識別子に基づいて、同じ識別子を有するコンテンツデータをコンテンツサーバ１１から取得し、取得したコンテンツデータを含む補完データを生成する。なお、補完データ生成部２１６は、コンテンツサーバ１１から配信されるコンテンツの全コンテンツデータを予め取得し、取得した全コンテンツデータから補完データ要求に含まれる識別子と同じ識別子を有するコンテンツデータを抽出してもよい。
【００５１】
補完データ送信部２１７は、補完データ生成部２１６によって生成された補完データを通信網２０及び基地局２２を介して端末装置３０に送信する。
【００５２】
＜通信放送連携システムの動作＞
次に、第１の実施形態に係る通信放送連携システムの動作を説明する。図３は、第１の実施形態に係る通信放送連携方法を示すシーケンス図である。
【００５３】
図３に示すように、補完サーバ２１の補完タイミング決定部２１４は、負荷情報取得部２１１で取得された通信網２０の負荷情報、コンテンツ情報取得部２１２で取得されたコンテンツ情報、ユーザ属性・位置情報取得部２１３で取得されたユーザ属性情報及び位置情報の少なくとも一つに基づいて、補完タイミングを決定する（ステップＳ１１）。
【００５４】
図４は、ステップＳ１１における補完タイミングの具体的な決定方法を示すフローチャートである。なお、以下では、補完タイミング決定部２１４が、補完タイミングとして、図１３に示すオフセット時間Ｔ１及びランダム時間幅Ｔ２を決定する例を説明するが、上述のように日時を決定してもよい。
【００５５】
図４に示すように、補完タイミング決定部２１４は、通信網２０又は補完サーバ２１の負荷を判断する（ステップＳ１１１）。負荷が閾値Ｔｈ１より大きい場合（ステップＳ１１１；Ｙｅｓ）、補完タイミング決定部２１４は、オフセット時間Ｔ１をＸ倍とし、ランダム時間幅Ｔ２をＹ倍とし、補完タイミングを遅くする（ステップＳ１１２）。一方、負荷が閾値Ｔｈ１以下である場合（ステップＳ１１１；Ｎｏ）、補完タイミング決定部２１４は、オフセット時間Ｔ１を１／Ｘとし、ランダム時間幅Ｔ２を１／Ｙとし、補完タイミングを早くする（ステップＳ１１３）。
【００５６】
なお、図４の閾値Ｔｈ１、Ｘ、Ｙは、予め設定された所定の値である。また、ステップＳ１１２において、オフセット時間Ｔ１及びランダム時間幅Ｔ２が、上限値Ｔ１ｍａｘ及びＴ２ｍａｘを超えないように設定されてもよい。同様に、ステップＳ１１３において、オフセット時間Ｔ１及びランダム時間幅Ｔ２が、下限値Ｔ１ｍｉｎ及びＴ２ｍｉｎを超えないように設定されてもよい。また、ステップＳ１１３は、省略されてもよい。
【００５７】
また、図４では、ステップＳ１１１において通信網２０又は補完サーバ２１の負荷が閾値Ｔｈ１より大きいか否かを判断する例を示したが、上述のように、コンテンツの公開時刻と現在時刻との差が閾値Ｔｈ２より大きいか否かなどを判断してもよい。
【００５８】
さらに、図４のステップＳ１１２及びＳ１１３において、補完タイミング決定部２１４は、オフセット時間Ｔ１及びランダム時間幅Ｔ２をユーザ属性毎に設定してもよい。例えば、補完タイミング決定部２１４は、上述の優先度の高いユーザ属性について、オフセット時間Ｔ１を５秒、ランダム時間幅Ｔ２を１０秒とし、補完タイミングを早くする。また、補完タイミング決定部２１４は、上述の優先度の低いユーザ属性について、オフセット時間Ｔ１を１０００秒、ランダム時間幅Ｔ２を２０００秒とし、補完タイミングを遅くする。
【００５９】
同様に、図４のステップＳ１１２及びＳ１１３において、補完タイミング決定部２１４は、オフセット時間Ｔ１及びランダム時間幅Ｔ２を通信エリア毎に設定してもよい。例えば、補完タイミング決定部２１４は、上述のトラフィック量の少ない通信エリアについて、オフセット時間Ｔ１を５秒、ランダム時間幅Ｔ２を１０秒とし、補完タイミングを早くする。また、補完タイミング決定部２１４は、上述のトラフィック量の多い通信エリアについて、オフセット時間Ｔ１を１０００秒、ランダム時間幅Ｔ２を２０００秒とし、補完タイミングを遅くする。
【００６０】
以上のように、図３のステップＳ１１において、補完タイミング決定部２１４は、補完タイミングを決定する。補完タイミング決定部２１４は、決定された補完タイミングを示す補完タイミング情報をコンテンツサーバ１１に通知する（ステップＳ１２）。
【００６１】
コンテンツサーバ１１は、補完サーバ２１から通知された補完タイミング情報をコンテンツデータとともに、放送網１０を介して端末装置３０に送信する（ステップＳ１３）。具体的には、コンテンツサーバ１１は、配信するコンテンツのメタデータ内に、補完タイミング情報を含める。例えば、上述の例のように、優先度の高いユーザ属性のオフセット時間Ｔ１を５秒、優先度の高いユーザ属性のランダム時間幅Ｔ２を１０秒とし、優先度の低いユーザ属性のオフセット時間Ｔ１を１０００秒、優先度の低いユーザ属性のランダム時間幅Ｔ２を２０００秒とすることを示す補完タイミング情報を送信する場合、メタデータ内に、
<postFileRepair
offsetTime_High-Priority="5"  randomTimePeriod_High-Priority="10"
offsetTime_Low-Priority="1000"  randomTimePeriod_Low-Priority="2000">
という記載を含める。また、上述の例のように、トラフィック量の少ない通信エリア１のオフセット時間Ｔ１を５秒、トラフィック量の多い通信エリア２のランダム時間幅Ｔ２を１０秒とし、トラフィック量の少ない通信エリア１のオフセット時間Ｔ１を１０００秒、トラフィック量の多い通信エリア２のランダム時間幅Ｔ２を２０００秒とすることを示す補完タイミング情報を送信する場合、メタデータ内に、
<postFileRepair
offsetTime_area1="5"  randomTimePeriod_area1="10"
offsetTime_area2="1000"  randomTimePeriod_area2="2000">
という記載を含めることができる。
【００６２】
端末装置３０は、放送網１０を介して補完タイミング情報を受信し、受信した補完タイミング情報の中から、自端末のユーザ属性又は通信エリアに応じた補完タイミングを選択する（ステップＳ１４）。例えば、上述の例において、端末装置３０のユーザ属性が優先度の高いユーザ属性（例えば、ユーザの契約情報が「プレミア契約」）である場合、端末装置３０は、オフセット時間Ｔ１が５秒でランダム時間幅Ｔ２が１０秒の補完タイミングを選択する。同様に、端末装置３０の在圏する通信エリアがトラフィック量の多い通信エリア２である場合、端末装置３０は、オフセット時間Ｔ１が１０００秒でランダム時間幅Ｔ２が２０００秒の補完タイミングを選択する。なお、コンテンツサーバ１１から受信した補完タイミング情報が１つの補完タイミングのみを示す場合、ステップＳ１４は省略可能である。
【００６３】
端末装置３０は、選択した補完タイミングにおいて、通信網２０を介して補完サーバ２１に補完データ要求を送信する（ステップＳ１５）。例えば、上述のように、端末装置３０が、オフセット時間Ｔ１が５秒でランダム時間幅Ｔ２が１０秒の補完タイミングを選択した場合、端末装置３０は、放送網１０を介したコンテンツデータの配信終了時刻から、５秒〜１５秒後のランダムなタイミングにおいて、通信網２０を介して補完サーバ２１に補完データ要求を送信する。
【００６４】
補完サーバ２１の補完データ要求受信部２１５は、補完タイミングにおいて端末装置３０から送信された補完データ要求を受信する。補完データ送信部２１７は、受信した補完データ要求に応じて生成された補完データを、通信網２０を介して端末装置３０に送信する（ステップＳ１６）。
【００６５】
端末装置３０は、補完サーバ２１から通信網２０を介して受信した補完データと、コンテンツサーバ１１から放送網１０を介して受信したコンテンツデータとを合成してコンテンツを構築し、構築したコンテンツを再生する（ステップＳ１７）。
＜作用・効果＞
第１の実施形態に係る通信放送連携システムによれば、補完サーバ２１が、負荷情報取得部２１１で取得された負荷情報、コンテンツ情報取得部２１２で取得されたコンテンツ情報、ユーザ属性・位置情報取得部２１３で取得されたユーザ属性情報及び位置情報の少なくとも一つに基づいて、補完タイミングを決定するので、多数の端末装置３０からの補完データ要求がバースト的に発生するのを防止できる。この結果、端末装置３０からバースト的に発生する補完データ要求により、補完サーバ２１の負荷が増大するのを防ぐとともに、通信網２０において他の通信を逼迫させてしまうのを防ぐことができる。
【００６６】
［変形例１−１］
次に、第１の実施形態に係る通信放送連携システムの変形例１−１について説明する。変形例１−１では、補完サーバ２１は、補完タイミングを更新し、補完タイミングの更新を端末装置３０に通知する点で第１の実施形態と異なる。
【００６７】
図５は、変形例１−１に係る通信放送連携方法を示すシーケンス図である。図５に示すように、補完サーバ２１の補完タイミング決定部２１４は、所定周期、或いは、所定のトリガが検知された場合に、補完タイミングを更新する（ステップＳ２１）。なお、補完タイミングの具体的な更新方法は、図３のステップＳ１１と同様である。補完タイミング決定部２１４は、補完タイミングの更新があった旨を示す更新通知をコンテンツサーバ１１に送信する（ステップＳ２２）。
【００６８】
コンテンツサーバ１１は、補完サーバ２１から通知された更新通知をコンテンツデータとともに、放送網１０、放送局１２を介して端末装置３０に送信する（ステップＳ２３）。例えば、コンテンツサーバ１１は、ＡＲＩＢ−ＳＴＤ  Ｂ３１で規定された放送波のフレームフォーマットの所定位置を用いて、端末装置３０に対する更新通知を行う。より具体的には、コンテンツサーバ１１は、伝送制御に係る情報を格納するためのＴＭＣＣ（Transmission  and  Multiplexing  Configuration  Control）フィールドの空きビット（例えば、１１０ビット目）を“０”に設定することにより、端末装置３０に対する更新通知を行う。また、コンテンツサーバ１１は、ＡＣ（Auxiliary  Channel）フィールドの空きビットを利用して、端末装置３０に対する更新通知を行ってもよい。
【００６９】
端末装置３０は、コンテンツサーバ１１からの更新通知に応じて、補完タイミング情報の送信を要求する補完タイミング情報要求を、通信網２０を介して補完サーバ２１に送信する（ステップＳ２４）。補完サーバ２１は、ステップＳ２１で更新された補完タイミングを示す補完タイミング情報を、通信網２０を介して端末装置３０に送信する（ステップＳ２５）。
【００７０】
なお、ステップＳ２６〜Ｓ２９は、図３のステップＳ１４〜Ｓ１７と同様であるため説明を省略する。また、図５のステップＳ２２において、補完サーバ２１は、補完タイミングの更新があった旨を示す更新通知をコンテンツサーバ１１及び放送網１０を介して端末装置３０に通知したが、通信網２０を介して端末装置３０に直接通知してもよい。
【００７１】
変形例１−１に係る通信放送連携システムによれば、補完サーバ２１は、補完タイミングの更新があった旨を通知する更新通知により、端末装置３０に対して補完サーバ２１からの補完タイミング情報の取得を促すことができる。したがって、コンテンツサーバ１１から端末装置３０へのメタデータの送信周期が長く、補完サーバ２１で更新された補完タイミング情報をコンテンツサーバ１１から端末装置３０へ通知できない場合でも、端末装置３０は、更新された補完タイミングに基づいて、補完データ要求を送信することができる。
【００７２】
［変形例１−２］
次に、第１の実施形態に係る通信放送連携システムの変形例１−２について説明する。変形例１−２では、補完サーバ２１が、補完タイミングとして補完データ要求の受付を拒否する受付拒否時間を端末装置３０毎に決定する点で第１の実施形態と異なる。
【００７３】
図６は、変形例１−２に係る通信放送連携方法を示すシーケンス図である。図６に示すように、端末装置３０は、所定のタイミングで、通信網２０を介して補完サーバ２１に補完データ要求を送信する（ステップＳ３１）。なお、所定のタイミングとは、例えば、コンテンツサーバ１１からメタデータによって指定されたタイミングである。また、端末装置３０は、例えば、ＨＴＴＰ−Ｇｅｔメッセージを用いて、補完データ要求を送信する。
【００７４】
補完サーバ２１は、端末装置３０からの補完データ要求に応じて、補完タイミングとして、端末装置３０毎に、補完データ要求の受付を拒否する受付拒否時間を決定する（ステップＳ３２）。具体的には、補完サーバ２１は、負荷情報取得部２１１で取得された通信網２０の負荷情報、コンテンツ情報取得部２１２で取得されたコンテンツ情報、ユーザ属性・位置情報取得部２１３で取得されたユーザ属性情報及び位置情報の少なくとも一つに基づいて、端末装置３０毎に補完データ要求の受付拒否時間を決定する。
【００７５】
補完サーバ２１は、決定した受付拒否時間を示す補完タイミング情報を、通信網２０を介して端末装置３０に送信する（ステップＳ３３）。補完サーバ２１は、例えば、端末装置３０からのＨＴＴＰ−Ｇｅｔメッセージに対する応答メッセージのＲｅｔｒｙ−Ａｆｔｅｒフィールドを用いて、決定した受付拒否時間を端末装置３０に通知する。
【００７６】
端末装置３０は、補完サーバ２１からの補完タイミング情報によって示される受付拒否時間経過後に、再度、通信網２０を介して補完サーバ２１に補完データ要求を送信する（ステップＳ３４）。なお、ステップＳ３５及びＳ３６は、図３のステップＳ１６及びＳ１７と同様であるため説明を省略する。
【００７７】
変形例１−２に係る通信放送連携システムによれば、補完サーバ２１が、補完タイミングとして補完データ要求の受付を拒否する受付拒否時間を端末装置３０毎に決定するので、補完データ要求に応じた補完データの送信による通信網２０のトラフィック量の増加を分散させることができる。したがって、補完データ要求に応じた補完データの送信により、通信網２０の負荷が増大するのを防止することができる。
【００７８】
［第２の実施形態］
次に、第２の実施形態に係る通信放送連携システムについて、第１の実施形態との相違点を中心に説明する。第２の実施形態に係る通信放送連携システムでは、端末装置３０が、補完タイミングの決定主体となる点で、第１の実施形態と異なる。
【００７９】
＜端末装置３０の構成＞
第２の実施形態に係る通信放送連携システムにおいて、補完タイミングの決定主体となる補完サーバ２１の構成について説明する。端末装置３０は、物理的には、ＣＰＵ、メモリ、通信インタフェイス、ディスプレイ、スピーカ、操作キー等を備えた端末である。図７は、第２の実施形態に係る端末装置３０の機能構成図である。
【００８０】
図７に示すように、端末装置３０は、放送波受信部３０１、コンテンツ構築部３０２、欠落検出部３０３、補完タイミング情報取得部３０４、コンテンツ情報取得部３０５、通信波送受信部３０６、負荷情報取得部３０７、ユーザ属性・位置情報取得部３０８、補完タイミング決定部３０９、補完データ要求部３１０、補完データ取得部３１１、コンテンツ再構築部３１２、コンテンツ再生部３１３を有する。
【００８１】
放送波受信部３０１は、放送局１２からの放送波を受信し、復調処理等を行う。放送波受信部３０１は、復調された放送信号から分離されたコンテンツデータをコンテンツ構築部３０２に入力する。また、放送波受信部３０１は、復調された放送信号から分離されたメタデータを補完タイミング情報取得部３０４及びコンテンツ情報取得部３０５に入力する。
【００８２】
コンテンツ構築部３０２は、放送波受信部３０１から入力されたコンテンツデータに対して、誤り訂正処理（ＦＥＣ：Ｆｏｒｗａｒｄ  Ｅｒｒｏｒ  Ｃｏｒｒｅｃｔｉｏｎ）等を行う。
【００８３】
欠落検出部３０３は、コンテンツ構築部３０２による誤り訂正処理結果に基づいて、放送波を用いて正しく受信することができずに、欠落したコンテンツデータを検出する。欠落検出部３０３は、検出結果に基づいて、補完データ情報を補完タイミング決定部３０９及び補完データ要求部３１０に入力する。ここで、補完データ情報は、後述する補完データ要求部３１０で要求すべき補完データの識別子やデータ量を示す。
【００８４】
補完タイミング情報取得部３０４は、放送波受信部３０１から入力されたメタデータから補完タイミング情報を取得し、補完タイミング決定部３０９に入力する。
【００８５】
コンテンツ情報取得部３０５は、放送波受信部３０１から入力されたメタデータからコンテンツ情報を取得し、補完タイミング決定部３０９に入力する。
【００８６】
通信波送受信部３０６は、基地局２２と通信波を送受信し、変調・復調処理等を行う。通信波送受信部３０６は、復調された通信信号から分離された制御情報を負荷情報取得部３０７に入力する。通信波送受信部３０６は、復調された通信信号から分離された補完データを補完データ取得部３１１に入力する。
【００８７】
負荷情報取得部３０７は、通信波送受信部３０６から入力された制御情報から負荷情報を取得し、補完タイミング決定部３０９に入力する。
【００８８】
ユーザ属性・位置情報取得部３０８は、通信波送受信部３０６から入力された制御情報からユーザ属性情報及び位置情報を取得し、補完タイミング決定部３０９に入力する。ユーザ属性・位置情報取得部３０８は、ユーザ属性情報として、上述の端末装置３０のユーザの契約情報等に加えて、端末装置３０のバッテリー残量を取得してもよい。
【００８９】
補完タイミング決定部３０９は、コンテンツ情報取得部３０５で取得されたコンテンツ情報、負荷情報取得部３０７で取得された負荷情報、ユーザ属性・位置情報取得部３０８で取得されたユーザ属性情報及び位置情報、欠落検出部３０３から入力された補完データ情報の少なくとも一つに基づいて、補完タイミングを決定する。ここで、補完タイミング決定部３０９は、上述のように、補完タイミングとして、端末装置３０が補完サーバ２１に対して補完データ要求を送信する日時を決定してもよいし、或いは、オフセット時間及びランダム時間幅Ｔ２を決定してもよい。
【００９０】
具体的には、補完タイミング決定部３０９は、負荷情報によって示される通信網２０又は補完サーバ２１の負荷が閾値Ｔｈ１を超えた場合、補完タイミングが現在設定されている補完タイミングより所定時間遅くなるように、上述の日時、又は、オフセット時間Ｔ１及びランダム時間幅Ｔ２を決定する。また、補完タイミング決定部３０９は、通信網２０又は補完サーバ２１の負荷が所定の閾値Ｔｈ１以下である場合、補完タイミングが現在設定されている補完タイミングより所定時間早くなるように、上述の日時、又は、オフセット時間Ｔ１及びランダム時間幅Ｔ２を決定してもよい。
【００９１】
また、補完タイミング決定部３０９は、コンテンツ情報によって示されるコンテンツの公開時刻と現在時刻との差が閾値Ｔｈ２以下である場合、補完タイミングが現在設定されている補完タイミングより所定時間早くなるように、上述の日時、又は、オフセット時間Ｔ１及びランダム時間幅Ｔ２を決定してもよい。
【００９２】
また、補完タイミング決定部３０９は、コンテンツ情報によって示されるコンテンツ種別に応じて、補完タイミングが現在設定されている補完タイミングより所定時間遅く又は早くなるように、上述の日時、又は、オフセット時間Ｔ１及びランダム時間幅Ｔ２を決定してもよい。
【００９３】
また、補完タイミング決定部３０９は、ユーザ属性情報によって示される端末装置３０のバッテリー残量が閾値Ｔｈ３以下である場合、補完タイミングが現在設定されている補完タイミングより所定時間遅くなるように、上述の日時、又は、オフセット時間Ｔ１及びランダム時間幅Ｔ２を決定してもよい。
【００９４】
補完データ要求部３１０は、補完タイミング決定部３０９によって決定された補完タイミングで、補完サーバ２１に対する補完データ要求を行う。
【００９５】
補完データ取得部３１１は、通信波送受信部３０６から入力された補完データに対して、誤り訂正処理（ＦＥＣ）等を行い、その補完データをコンテンツ再構築部３１２に入力する。
【００９６】
コンテンツ再構築部３１２は、補完データ取得部３１１から入力された補完データと、コンテンツ構築部３０２において誤り訂正処理に成功したコンテンツデータとを合成し、コンテンツを構築する。
【００９７】
コンテンツ再生部３１３は、コンテンツ再構築部３１２によって再構築されたコンテンツの再生を行う。コンテンツ再生部３１３は、例えば、ディスプレイ、スピーカ、及びその制御部などから構成されており、ユーザ操作部（図示なし）からコンテンツ再生を指示する指示情報が入力されると、その時間に応じたコンテンツを再生する。
【００９８】
＜通信放送連携システムの動作＞
次に、第２の実施形態に係る通信放送連携システムの動作を説明する。図８は、第２の実施形態に係る通信放送連携方法を示すシーケンス図である。
【００９９】
図８に示すように、コンテンツサーバ１１は、補完タイミングの初期値を含む補完タイミング情報をコンテンツデータとともに、放送網１０を介して端末装置３０に送信する（ステップＳ４１）。ここで、補完タイミングの初期値は、オフセット時間Ｔ１とランダム時間幅Ｔ２で示されてもよいし、日時で示されてもよい。なお、上述のように、コンテンツサーバ１１は、配信するコンテンツのメタデータに含めて、補完タイミング情報を送信する。
【０１００】
端末装置３０の補完タイミング決定部３０９は、コンテンツ情報取得部３０５で取得されたコンテンツ情報、負荷情報取得部３０７で取得された負荷情報、ユーザ属性・位置情報取得部３０８で取得されたユーザ属性情報及び位置情報、欠落検出部３０３から入力された補完データ情報の少なくとも一つに基づいて、補完タイミング情報によって示される補完タイミングを変更する（ステップＳ４２）。具体的には、補完タイミング決定部３０９は、補完タイミングを示すオフセット時間Ｔ１及びランダム時間幅Ｔ２を、図４を参照して説明したように、変更する。
【０１０１】
端末装置３０の補完データ要求部３１０は、ステップＳ４２で変更された補完タイミングで、通信網２０を介して補完サーバ２１に補完データ要求を送信する（ステップＳ４３）。ステップＳ４４及びＳ４５は、図３のステップＳ１６及びＳ１７と同様であるため、説明を省略する。
【０１０２】
＜作用・効果＞
第２の実施形態に係る通信放送連携システムによれば、端末装置３０が、負荷情報取得部３０７で取得された負荷情報、コンテンツ情報取得部３０５で取得されたコンテンツ情報、ユーザ属性・位置情報取得部３０８で取得されたユーザ属性情報及び位置情報の少なくとも一つに基づいて、補完タイミングを決定するので、多数の端末装置３０からの補完データ要求がバースト的に発生するのを防止できる。この結果、端末装置３０からバースト的に発生する補完データ要求により、補完サーバ２１の負荷が増大するのを防ぐとともに、通信網２０において他の通信を逼迫させてしまうのを防ぐことができる。
【０１０３】
［第３の実施形態］
次に、第３の実施形態に係る通信放送連携システムについて、第１及び第２の実施形態との相違点を中心に説明する。第１及び第２の実施形態では、補完サーバ２１又は端末装置３０によって決定された補完タイミングにおいて端末装置３０が自動的に補完データ要求を送信する「自動補完」機能を備えた通信放送連携システムについて説明した。第３の実施形態では、自動補完機能に加えて、端末装置３０がユーザからの補完指示の受付に応じて補完データ要求を送信する「手動補完」機能を備えた通信放送連携システムについて説明する。
【０１０４】
上述の自動補完と手動補完とは、通信網２０の負荷情報や、コンテンツ情報、ユーザ属性情報、位置情報など種々の条件に応じて切替可能である。以下、第３の実施形態に係る通信放送連携システムでは、補完サーバ２１が、自動補完と手動補完との切替主体となる例を説明する。
【０１０５】
＜補完サーバ２１の構成＞
図９は、第３の実施形態に係る補完サーバ２１の機能構成図である。図９に示すように、補完サーバ２１は、切替決定部２１８を具備する。切替決定部２１８は、負荷情報取得部２１１で取得された負荷情報、コンテンツ情報取得部２１２で取得されたコンテンツ情報、ユーザ属性・位置情報取得部２１３で取得されたユーザ属性情報及び位置情報の少なくとも一つに基づいて、自動補完と手動補完との切替を決定する。
【０１０６】
例えば、切替決定部２１８は、負荷情報によって示される通信網２０又は補完サーバ２１の負荷が閾値Ｔｈ１を超えた場合、自動補完から手動補完への切替を決定してもよい。また、補完タイミング決定部２１４は、通信網２０又は補完サーバ２１の負荷が所定の閾値Ｔｈ１以下である場合、自動補完の継続を決定してもよい。また、切替決定部２１８は、コンテンツ情報によって示されるユーザのコンテンツの嗜好値（例えば、コンテンツリコメンドのメトリックなど）に基づいて、嗜好値の高いコンテンツをタイムリーに配信するために、手動補完から自動補完への切替を決定してもよい。
【０１０７】
切替決定部２１８は、自動補完から手動補完への切替を決定した場合、その切替を指示する切替通知をコンテンツサーバ１１に通知する。コンテンツサーバ１１に通知された補完タイミング情報は、コンテンツサーバ１１から配信されるコンテンツのメタデータに含めて、放送網１０経由で端末装置３０に通知される。
【０１０８】
＜通信放送連携システムの動作＞
次に、第３の実施形態に係る通信放送連携システムの動作を説明する。図１０は、第３の実施形態に係る通信放送連携方法を示すシーケンス図である。図１０に示すように、補完サーバ２１の切替決定部２１８は、上述の負荷情報、コンテンツ情報、ユーザ属性情報、位置情報の少なくとも一つに基づいて、自動補完から手動補完への切替を決定する（ステップＳ５１）。切替決定部２１８は、自動補完から手動補完への切替を決定した場合、その旨を示す切替通知をコンテンツサーバ１１に通知する（ステップＳ５２）。
【０１０９】
コンテンツサーバ１１は、コンテンツデータとともに切替通知を、放送網１０を介して端末装置３０に送信する（ステップＳ５３）。例えば、コンテンツサーバ１１は、配信するコンテンツのメタデータ内に、自動補完から手動補完への切替を示す＜ｐｏｓｔｆｉｌｅｒｅｐａｉｒ  ｍａｎｕａｌ−ｃｏｍｐｌｅｍｅｎｔ＞という記載を含める。
【０１１０】
端末装置３０は、コンテンツサーバ１１からの切替通知に応じて、自動的に補完データ要求を送信する自動補完から、ユーザからの補完指示の受付に応じて補完データ要求を送信する手動補完に切り替える。端末装置３０のユーザがコンテンツを視聴しようとする場合等に、端末装置３０は、ユーザからの補完指示を受け付ける（ステップＳ５４）。端末装置３０は、ユーザからの補完指示に応じて補完データ要求を、通信網２０を介して補完サーバ２１に送信する（ステップＳ５５）。ステップＳ５６及びＳ５７は、図３のステップＳ１６及びＳ１７と同様であるため、説明を省略する。
【０１１１】
＜作用・効果＞
第３の実施形態に係る通信放送連携システムによれば、補完サーバ２１が、負荷情報取得部２１１で取得された負荷情報、コンテンツ情報取得部２１２で取得されたコンテンツ情報、ユーザ属性・位置情報取得部２１３で取得されたユーザ属性情報及び位置情報の少なくとも一つに基づいて、自動補完から手動補完への切り替えを決定し、端末装置３０に通知するので、蓄積型のコンテンツ配信方式において、ユーザによって視聴されないコンテンツの補完データ要求によって、通信網２０又は補完サーバ２１の負荷が増加するのを防ぐことができる。
【０１１２】
［変形例３−１］
次に、第３の実施形態に係る通信放送連携システムの変形例３−１について説明する。変形例３−１では、補完サーバ２１が、端末装置３０から送信された補完データ要求に応じて、自動補完と手動補完との切替を決定する点で第３の実施形態と異なる。
【０１１３】
図１１は、変形例３−１に係る通信放送連携方法を示すシーケンス図である。図１１に示すように、端末装置３０は、補完タイミングで、通信網２０を介して補完サーバ２１に補完データ要求を送信する（ステップＳ６１）。また、端末装置３０は、例えば、ＨＴＴＰ−Ｇｅｔメッセージを用いて、補完データ要求を送信する。
【０１１４】
補完サーバ２１の切替決定部２１８は、端末装置３０からの補完データ要求に応じて、上述の負荷情報、コンテンツ情報、ユーザ属性情報、位置情報の少なくとも一つに基づいて、自動補完から手動補完への切り替えを決定する（ステップＳ６２）。
【０１１５】
補完サーバ２１は、自動補完から手動補完への切替を決定した場合、その旨を示す切替通知を端末装置３０に通知する（ステップＳ６３）。補完サーバ２１は、例えば、端末装置３０からのＨＴＴＰ−Ｇｅｔメッセージ（「Ｇｅｔ  Ｒａｎｇｅ  ｘｘｘ−ｘｘｘ  ＡＵＴＯ−Ｃｏｍｐｌｍｅｎｔ  Ｍｅｔｒｉｃ＝ＹＹ」）に対して、自動補完から手動補完への切り替えを示す「５０３  Ｍａｎｕａｌ−Ｃｏｍｐｌｅｍｅｎｔ」という応答メッセージを送信する。ステップＳ６４〜Ｓ６７は、図１０のステップＳ５４〜Ｓ５７と同様であるため、説明を省略する。
【０１１６】
変形例３−１に係る通信放送連携システムによれば、補完サーバ２１が、自動補完から手動補完への切り替えを決定するので、蓄積型のコンテンツ配信方式において、ユーザによって視聴されないコンテンツの補完データ要求によって、通信網２０又は補完サーバ２１の負荷が増加するのを防ぐことができる。
【０１１７】
［変形例３−２］
次に、第３の実施形態に係る通信放送連携システムの変形例３−２について説明する。変形例３−２では、端末装置３０が自動補完と手動補完との切替主体となる点で第３の実施形態と異なる。
【０１１８】
図１２は、変形例３−２に係る端末装置３０の機能構成図である。図１２に示すように、端末装置３０は、切替決定部３１４を具備する。切替決定部３１４は、負荷情報取得部３０７で取得された負荷情報、コンテンツ情報取得部３０５で取得されたコンテンツ情報、ユーザ属性・位置情報取得部３０８で取得されたユーザ属性情報及び位置情報の少なくとも一つに基づいて、自動補完と手動補完との切替を決定する。
【０１１９】
例えば、切替決定部３１４は、ユーザ属性情報によって示される端末装置３０のバッテリー残量が閾値Ｔｈ３以下である場合、自動補完から手動補完への切替を決定してもよい。
【０１２０】
また、切替決定部３１４は、切替の決定結果を補完データ要求部３１０に入力する。補完データ要求３１０は、自動補完を行う場合、補完タイミングで自動的に補完データ要求を行う。一方、補完データ要求部３１０は、手動補完を行う場合、操作部（図示なし）によってユーザから受付られた補完指示に応じて、補完データ要求を行う。
【０１２１】
変形例３−２に係る通信放送連携システムによれば、端末装置３０が、負荷情報取得部３０７で取得された負荷情報、コンテンツ情報取得部３０５で取得されたコンテンツ情報、ユーザ属性・位置情報取得部３０８で取得されたユーザ属性情報及び位置情報の少なくとも一つに基づいて、自動補完から手動補完に切り替えるので、蓄積型のコンテンツ配信方式において、ユーザによって視聴されないコンテンツの補完データ要求によって、通信網２０又は補完サーバ２１の負荷が増加するのを防ぐことができる。
【０１２２】
また、変形例３−２に係る通信放送連携システムによれば、端末装置３０が、端末装置３０のバッテリー残量に基づいて、自動補完から手動補完に切り替えるので、ユーザの知らない間に行われる自動補完により、ユーザが除く通話等の他の機能が使用できなくなるのを防ぐことができる。
【０１２３】
［その他の実施形態］
上述の通信放送連携システムでは、放送網１０に接続されたコンテンツサーバ１１と通信網２０に接続された補完サーバ２１とを別々に設けたが、一つのサーバとしてもよい。
【０１２４】
また、上述の通信放送連携システムでは、補完サーバ２１は、負荷情報取得部２１１、コンテンツ情報取得部２１２、ユーザ属性・位置情報取得部２１３を備える例を説明したが、全ての構成を備える必要はなく、補完タイミング決定部２１４による補完タイミングの決定に用いられる情報を取得する構成のみを備えていればよい。また、端末装置３０のコンテンツ情報取得部３０５、負荷情報取得部３０７、ユーザ属性・位置情報取得部３０８についても、同様である。
【符号の説明】
【０１２５】
１０…放送網、１１…コンテンツサーバ、１２…放送局、１３…放送エリア、２０…通信網、２１…補完サーバ、２２…基地局、２３…顧客情報管理サーバ、２４…通信エリア、３０…端末装置、２１１…負荷情報取得部、２１２…コンテンツ情報取得部、２１３…ユーザ属性・位置情報取得部、２１４…補完タイミング決定部、２１５…補完データ要求受信部、２１６…補完データ生成部、２１７…補完データ送信部、２１８…切替決定部、
３０１…放送波受信部、３０２…コンテンツ構築部、３０３…欠落検出部、３０４…補完タイミング情報取得部、３０５…コンテンツ情報取得部、３０６…通信波送受信部、３０７…負荷情報取得部、３０８…ユーザ属性・位置情報取得部、３０９…補完タイミング決定部、３１０…補完データ要求部、３１１…補完データ取得部、３１２…コンテンツ再構築部、３１３…コンテンツ再生部、３１４…切替決定部、Ｔ０…コンテンツ配信時間、Ｔ１…オフセット時間、Ｔ２…ランダム時間幅、Ｔ３…補完可能時間
【図１】
2011109456.tif 000003
【図２】
2011109456.tif 000004
【図３】
2011109456.tif 000005
【図４】
2011109456.tif 000006
【図５】
2011109456.tif 000007
【図６】
2011109456.tif 000008
【図７】
2011109456.tif 000009
【図８】
2011109456.tif 000010
【図９】
2011109456.tif 000011
【図１０】
2011109456.tif 000012
【図１１】
2011109456.tif 000013
【図１２】
2011109456.tif 000014
【図１３】
2011109456.tif 000015